(57)【要約】【課題】ファイナライズ時間の短縮を図れる記録装置，および記録方法を提供を提供する。【解決手段】記録装置が，データ領域とミドル領域とが隣接して配置される記録媒体にデータを書き込む記録装置であって，前記ミドル領域を拡張して，前記データ領域を縮小する領域拡張部と，前記縮小されるデータ領域にデータを書き込む第１の書込部と，前記データが書き込まれたデータ領域の空き領域にターミネータを書き込む第２の書込部と，を具備する。【選択図】図１
2008010106.tif 000002
【特許請求の範囲】
【請求項１】
データ領域とミドル領域とが隣接して配置される記録媒体にデータを書き込む記録装置であって，
前記ミドル領域を拡張して，前記データ領域を縮小する領域拡張部と，
前記縮小されるデータ領域にデータを書き込む第１の書込部と，
前記データが書き込まれたデータ領域の空き領域にターミネータを書き込む第２の書込部と，
を具備することを特徴とする記録装置。
【請求項２】
前記拡張されるミドル領域内にドライブテスト領域を追加する領域追加部，
をさらに具備することを特徴とする請求項１記載の記録装置。
【請求項３】
前記記録媒体が，リードイン領域を有し，
前記データ領域への書込前に，前記リードイン領域のガードドラックゾーンと前記ミドル領域のガードトラックゾーンとをパディングする第３の書込部，
をさらに具備することを特徴とする請求項１記載の記録装置。
【請求項４】
書き込むデータの容量と，前記データ領域の空き容量と，に基づいて，前記ミドル領域の拡張の要否を判定する判定部，をさらに具備し，
前記判定部がミドル領域の拡張が必要と判定したときに，前記領域拡張部が前記ミドル領域を拡張する
ことを特徴とする請求項１記載の記録装置。
【請求項５】
前記記録媒体が，データ領域とミドル領域とが隣接してそれぞれに配置され，かつ読み取り面から順に配置される第１，第２の記録層を有する，
ことを特徴とする請求項１記載の記録装置。
【請求項６】
前記第１の記録層のデータ領域の空き容量に基づいて，前記ミドル領域の拡張の要否を判定する判定部，をさらに具備し，
前記判定部がミドル領域の拡張が必要と判定したときに，前記領域拡張部が前記ミドル領域を拡張する
ことを特徴とする請求項５記載の記録装置。
【請求項７】
前記データ領域への書き込み済みデータおよび書き込み予定データの全容量に基づき，前記第１，第２の記録層へのデータの割当を決定する決定部，
をさらに具備することを特徴とする請求項５記載の記録装置。
【請求項８】
前記第１の記録層のデータ領域への書き込み済みデータおよび書き込み予定データの全容量に基づき，前記ミドル領域の拡張の種別を決定する決定部，をさらに具備し，
前記決定される拡張の種別に基づいて，前記領域拡張部が前記ミドル領域を拡張する
ことを特徴とする請求項５記載の記録装置。
【請求項９】
データ領域とミドル領域とが隣接して配置される記録媒体にデータを書き込む記録方法であって，
前記ミドル領域を拡張して，前記データ領域を縮小するステップと，
前記縮小されるデータ領域にデータを書き込むステップと，
前記データが書き込まれたデータ領域の空き領域にターミネータを書き込むステップと，
を具備することを特徴とする記録方法。
【請求項１０】
前記拡張されるミドル領域内にドライブテスト領域を追加するステップ
をさらに具備することを特徴とする請求項９記載の記録方法。
【請求項１１】
前記記録媒体が，リードイン領域を有し，
前記データ領域への書込前に，前記リードイン領域のガードドラックゾーンと前記ミドル領域のガードトラックゾーンとをパディングするステップ
をさらに具備することを特徴とする請求項９記載の記録方法。
【発明の詳細な説明】
【技術分野】
【０００１】
本発明は，光ディスク等の記録媒体に情報を記録する記録装置，および記録方法に関する。
【背景技術】
【０００２】
近年，大容量の光ディスクとしてＤＶＤ（Digital Versatile Disk）が実用化されている。記録可能なＤＶＤとして，追記型のＤＶＤ−Ｒ，書換え可能なＤＶＤ−ＲＷ，ＤＶＤ−ＲＡＭ等が規格化されている。
また，記録容量を増やしたＤＶＤの規格が提案されている。記憶容量を増やす手法として，ビームスポットの絞り込み（レーザ光の短波長化，あるいは開口数ＮＡの増大等），光ディスクの両面への記録層の配置，光ディスクの片面への複数の記録層の配置等が考えられる。
記録容量の増大は，光ディスクに記録するデータの容量が小さい場合，ファイナライズに時間を要し，データの書き込み速度の低下を招く可能性がある。
なお，記録しようとする全データ量に基づいてデータ書き込みを行う領域範囲を設定する技術が公開されている（特許文献１参照）。
【特許文献１】特開２００４−３４２２１７，段落番号００７３
【発明の開示】
【発明が解決しようとする課題】
【０００３】
上記に鑑み，本発明はファイナライズ時間の短縮を図れる記録装置，および記録方法を提供することを目的とする。
【課題を解決するための手段】
【０００４】
上記目的を達成するために，本発明に係る記録装置は，データ領域とミドル領域とが隣接して配置される記録媒体にデータを書き込む記録装置であって，前記ミドル領域を拡張して，前記データ領域を縮小する領域拡張部と，前記縮小されるデータ領域にデータを書き込む第１の書込部と，前記データが書き込まれたデータ領域の空き領域にターミネータを書き込む第２の書込部と，を具備することを特徴とする。
【０００５】
上記目的を達成するために，本発明に係る記録方法は，データ領域とミドル領域とが隣接して配置される記録媒体にデータを書き込む記録方法であって，前記ミドル領域を拡張して，前記データ領域を縮小するステップと，前記縮小されるデータ領域にデータを書き込むステップと，前記データが書き込まれたデータ領域の空き領域にターミネータを書き込むステップと，を具備することを特徴とする。
【発明の効果】
【０００６】
本発明によれば，ファイナライズ時間の短縮を図れる記録装置，および記録方法を提供できる。
【発明を実施するための最良の形態】
【０００７】
以下，図面を参照して，本発明の実施の形態を詳細に説明する。
図１は，本発明の一実施形態に係る光ディスク装置１００を表すブロック図である。
光ディスク装置１００は，光ディスク１１０等の情報記録媒体に情報を記録，再生する。
光ディスク１１０は，読み出し面１１１から順次に配置される記録層Ｌ０，Ｌ１を有する。なお，光ディスク１１０の詳細は後述する。
光ディスク装置１００は，光ディスク保持部１２１，光ディスク駆動部１２２，光ピックアップ１３０，スライド駆動部１４１，再生処理部１４２，記録処理部１４３，インタフェース１４４，制御部１５０を有する。
【０００８】
光ディスク保持部１２１は，光ディスク１１０を保持する。
光ディスク駆動部１２２は，光ディスク保持部１２１，ひいては光ディスク１１０を回転する。
【０００９】
光ピックアップ１３０は，光ディスク１１０の記録層Ｌ０，Ｌ１にレーザ光を照射し，その反射光を電気信号に変換し，ＲＦ信号として出力する。
光ピックアップ１３０は，発光素子１３１，ビームスプリッタ１３２，対物レンズ１３３，受光素子１３４を有する。発光素子１３１から出射されたレーザ光がビームスプリッタ１３２を通過し，対物レンズ１３３で光ディスク１１０の記録層Ｌ０，Ｌ１に集光される。集光されたレーザ光は光ディスク１１０の記録層Ｌ０，Ｌ１で反射されビームスプリッタ１３２で方向が変えられ，受光素子１３４に受光されて，電気信号（ＲＦ信号）に変換される。
【００１０】
スライド駆動部１４１は，光ピックアップ１３０を光ディスク１１０の径方向に移動する。
再生処理部１４２は，光ピックアップ１３０より出力されるＲＦ信号を処理して情報を再生する。
記録処理部１４３は，発光素子１３１を制御して，光ディスク１１０に情報を書き込む。記録処理部１４３は，データ領域にデータを書き込む第１の書込部およびデータ領域の空き領域にターミネータを書き込む第２の書込部として機能する。
インタフェース１４４は，光ディスク装置１００と外部装置（例えば，コンピュータ）とを接続する。
【００１１】
制御部１５０は，光ディスク１１０への情報の記録，再生を制御する。制御部１５０は，拡張要否判定部１５１，データ割当決定部１５２，拡張種別決定部１５３，ミドル領域拡張部１５４を有する。
【００１２】
拡張要否判定部１５１は，光ディスク１１０の後述するミドル領域の拡張の要否を判定する。
データ割当決定部１５２は，光ディスク１１０の第１，第２の記録層Ｌ０，Ｌ１へのデータの割り当て（割り振り）を決定する。
拡張種別決定部１５３は，光ディスク１１０のミドル領域の拡張の種別を決定する。
ミドル領域拡張部１５４は，拡張種別決定部１５３で決定された種別に応じて，光ディスク１１０のミドル領域を拡張する。
【００１３】
（光ディスクの詳細）
光ディスク１１０の例として，ＤＶＤ−Ｒ，ＤＶＤ−ＲＷ，ＤＶＤ−ＲＡＭ，ＨＤ  ＤＶＤ−Ｒ，ＨＤ  ＤＶＤ−ＲＷ，ＨＤ  ＤＶＤ−ＲＡＭを挙げることができる。
図２は，光ディスク１１０の記録層Ｌ０，Ｌ１の内部構成の一例を表す模式図である。
記録層Ｌ０には内周からリードイン領域（Lead-in Area），データ領域（Data Area），ミドル領域（Middle Area）が配置される。記録層Ｌ１には内周からリードアウト領域（Lead-out Area），データ領域（Data Area），ミドル領域（Middle Area）が配置されている。なお，リードイン領域のさらに内周に，バーストカッティング領域ＢＣＡが配置される。
【００１４】
リードイン領域には，光ディスク１１０の最内周から順に，システムリードイン領域ＳＬＩＡ（System Lead-in Area），コネクション領域ＣＡ（Connection Area），データリードイン領域ＤＬＩＡ（Data Lead-in Area）が設けられる。
データリードイン領域は，管理領域を有し，記録層Ｌ０にのみ配置される。記録層Ｌ１のファイナライズ時に，記録層Ｌ１の情報も記録層Ｌ０のデータリードイン領域ＤＬＩＡに書き込まれる。これにより，起動時に記録層Ｌ０だけを読み取ることで，記録層Ｌ０，記録層Ｌ１双方の管理情報を入手できる。
この管理領域には，記録位置管理ゾーン，Ｒ物理フォーマット情報ゾーンが含まれる。記録位置管理ゾーンには，ミドル領域の拡張に関わる情報が書き込まれる。Ｒ物理フォーマット情報ゾーンには，後述の折り返し点の情報が記録される。
【００１５】
リードアウト領域には，光ディスク１１０の最内周から順に，システムリードアウト領域ＳＬＯＡ（System Lead-out Area），コネクション領域ＣＡ（Connection Area），データリードアウト領域ＤＬＯＡ（Data Lead-out Area）が配置される。
【００１６】
データ領域は，メインデータ等のユーザデータ（User Data）を記録する領域である。
このとき，記録層Ｌ０のデータ領域では内周から外周に向かう方向，記録層Ｌ１のデータ領域では外周から内周に向かう方向にユーザデータが記録される。記録層Ｌ０のデータ領域全てにデータが書き込まれてから，記録層Ｌ１のデータ領域へのユーザデータの書き込みが開始される。
【００１７】
記録層Ｌ１のデータ領域の終了アドレス（内周側の論理ブロックアドレス）は，記録層Ｌ０のデータ領域の開始アドレス（内周側の論理ブロックアドレス）より外周側に配置される。一方，記録層Ｌ０のデータ領域の終了アドレスＬＢＡＥ（外周側の論理ブロックアドレス）と記録層Ｌ１のデータ領域の開始アドレスＬＢＡＳ（外周側の論理ブロックアドレス）とはクリアランスの範囲で一致する。これらのアドレス（論理ブロックアドレス）ＬＢＡＥ，ＬＢＡＳは，記録層Ｌ０から記録層Ｌ１へと記録層を切り替える折り返し点に対応する。
【００１８】
記録層Ｌ０，記録層Ｌ１のミドル領域にはそれぞれ，内周側から順にガードトラックゾーンＧＴＺ（Gurd Track Zone），ドライブテストゾーンＲＴＺ（Drive Test Zone），光ディスクテストゾーンIＴＺ（Disk Test Zone），ブランクゾーンＢＺ（Blank Zone）が配置される。
記録層Ｌ０のガードトラックゾーンＧＴＺは記録層Ｌ１のドライブテストゾーンＲＴＺ，光ディスクテストゾーンIＴＺの記録のために設けられる。そのため，記録層Ｌ０のガードトラックゾーンＧＴＺの終了位置は記録層Ｌ１の光ディスクテストゾーンIＴＺの開始位置よりも少なくともクリアランスの分だけ外周側に位置する。
記録層Ｌ１のブランクゾーンＢＺは記録層Ｌ０のドライブテストゾーンＲＴＺ，光ディスクテストゾーンIＴＺの記録のために設けられる。そのため，記録層Ｌ１のブランクゾーンＢＺの終了位置は記録層Ｌ０のドライブテストゾーンＲＴＺの開始位置よりも少なくともクリアランスの分だけ内周側に位置する。
【００１９】
ミドル領域は，拡張が可能である。ミドル領域の拡張とは，ミドル領域の容量を拡張することを意味する。
図３，図４はそれぞれ，拡張されたミドル領域（Expanded Middle Area）の内部構成例（拡張１，拡張２）を表す模式図である。
拡張１（図３），拡張２（図４）は，ミドル領域の拡張サイズが異なる。拡張１は拡張サイズが小さく，拡張２は拡張サイズが大きい。具体的には，ミドル領域の拡張サイズが１７０００ｈセクタより小さいか否かに応じて，拡張１，拡張２が選択される。
【００２０】
拡張１では，記録層Ｌ０のガードトラックゾーンＧＴＺの内周に追加ガードトラックゾーンＥＧＴＺ（Extra Gurd Track Zone）が，記録層Ｌ１のガードトラックゾーンＧＴＺ（Gurd Track Zone），ドライブテストゾーンＲＴＺ（Drive Test Zone）の間にブランクゾーンＢＺ（Blank Zone）が追加して配置される。即ち，追加ガードトラックゾーンＥＧＴＺ，ブランクゾーンＢＺが追加され，ガードトラックゾーンＧＴＺが移動される。
【００２１】
拡張２では，記録層Ｌ０のガードトラックゾーンＧＴＺの内周にブランクゾーンＢＺ（Blank Zone），追加ドライブテストゾーンＥＲＴＺ（Extra Drive Test Zone），追加ガードトラックゾーンＥＧＴＺ（Extra Gurd Track Zone）が追加して配置される。また，記録層Ｌ１のガードトラックゾーンＧＴＺ（Gurd Track Zone），ドライブテストゾーンＲＴＺ（Drive Test Zone）の間にブランクゾーンＢＺおよび追加ドライブテストゾーンＥＲＴＺ（Extra Drive Test Zone）が配置される。即ち，追加ガードトラックゾーンＥＧＴＺ，ブランクゾーンＢＺ，および追加ドライブテストゾーンＥＲＴＺが追加され，ガードトラックゾーンＧＴＺが移動される。
【００２２】
光ディスク１１０は内周側と外周側にドライブテストゾーンを持ち，このゾーンを用いて各種記録条件を設定する。この記録条件は記録する位置によって変化する。つまり，実際に記録する位置に近い場所で記録条件を設定することで，記録品位が向上する。
【００２３】
拡張２では，ミドル領域の拡張量が大きい。この場合，記録されるデータ領域中の外周部に近い部分がドライブテストゾーンＲＴＺから離れていることが考えられる。この場合，新たに設定された追加ドライブテストゾーンＥＲＴＺを用いて，記録条件を設定できる。即ち，データ領域の縮小により生じる空きエリアがドライブのテスト領域として使用可能となる。この結果，データ領域により近い場所でドライブの書き込みテストを行うことが可能になり，記録品位の向上に繋がる。
【００２４】
なお，データリードイン領域の記録位置管理ゾーンが更新されることで，ミドル領域が拡張される。これは，拡張１，２の何れでも同様である。
【００２５】
ミドル領域を拡張することでデータ領域が縮小される。その結果，ファイナライズ用のターミネータＴＭ（Terminator）のデータ量を少なくして，ファイナライズ時間を短縮できる。
例えば，記録層Ｌ０に書き込める容量のユーザデータを記録層Ｌ０，Ｌ１に書き込む場合を考える。ミドル領域を拡張しないでユーザデータを書き込んだ場合，データ領域の空き（空き領域）が多い。このため，光ディスク１１０のファイナライズに時間がかかることが予想される。ファイナライズ時には，データ領域の空き領域をターミネータＴＭで埋めなければならないからである。ミドル領域を拡張すると，ミドル領域の拡張分だけユーザ領域，即ち，空き領域が小さくなることで，ファイナライズ時間が短縮される。
【００２６】
図５，図６はそれぞれ，ミドル領域を拡張しない場合，した場合の一例を表す図である。ミドル領域を拡張しない場合（図５）では，光ディスク１１０の記録層Ｌ０のみデータを書き込んでいる。ミドル領域を拡張する場合（図６）では，光ディスク１１０のミドル領域を拡大し，記録層Ｌ０，Ｌ１の双方にユーザデータを書き込んでいる。即ち，記録層Ｌ０に書き込み可能な容量のデータを記録層Ｌ０，Ｌ１に分けて書き込んでいる。ミドル領域の拡張により，データ領域が縮小され，ファイナライズ時間が短縮される。また，記録層Ｌ０，Ｌ１双方の内周付近にユーザデータが書き込まれるため，アクセススピードおよび書き込み品位の向上が図られる。
【００２７】
図７，図８はそれぞれ，ミドル領域を拡張しない場合，した場合の他の例を表す図である。図７，図８の何れでも，光ディスク１１０の記録層Ｌ０，Ｌ１双方にユーザデータを書き込んでいる。データ容量が２層にわたる場合であっても，ミドル領域を拡張することで，空き容量が減少し，ファイナライズ時間が短縮される。また，ユーザデータの配置が変更される（光ディスク１１０の内周側にユーザデータが書き込まれる）ことで，アクセススピードおよび書き込み品位の向上が可能となる。
【００２８】
（光ディスク装置１００の動作）
光ディスク装置１００の動作を説明する。
図９は，光ディスク装置１００の動作手順の一例を表すフロー図である。以下，本図に基づき，光ディスク装置１００の動作手順を説明する。
【００２９】
Ａ．光ディスク１１０の挿入（ステップＳ１１）
光ディスク１１０が光ディスク装置１００に挿入される。
光ディスク１１０が挿入されると，動作が開始する。このとき光ディスク１１０は，未記録，途中まで記録済みの何れでも差し支えない。但し，光ディスク１１０はファイナライズされていないものとする。
光ディスク１１０のバーストカッティング領域ＢＣＡのデータを読み取り，光ディスクの種別が判別される。光ディスクの種別には片面／両面，一層／二層，再生専用／追記型／書換え型等がある。例えば，片面２層光ディスクであると判定される。
【００３０】
Ｂ．ミドル領域の拡張の要否の判定（ステップＳ１２）
拡張要否判定部１５１によって，ミドル領域の拡張の要否が判断される。以下の条件（１）〜（３）全てが満たされるときに，ミドル領域が拡張される。
（１）データ書き込み後にファイナライズ処理を実行すること
（２）光ディスク１１０のユーザ領域全体の空き容量が書き込み予定データ量より大きいこと
（３）記録層Ｌ０のデータ領域に空き領域が有ること
【００３１】
ここで，条件（１），（２）は，ミドル領域を拡張しない場合に，ユーザ領域にターミネータを書き込む必要があることを意味する。本実施形態では，ミドル領域の拡張によって，ターミネータの書き込み時間を短縮する。
条件（３）は，記録層Ｌ０のデータ領域にユーザデータを書き込むことを意味する。記録層Ｌ０のデータ領域に空き領域が無ければ，ミドル領域は拡張されない。ミドル領域の拡張は，記録層Ｌ０，Ｌ１で個別には実行されないからである。
【００３２】
ここで，ファイナライズの有無および書き込み予定データ量は，外部装置から通知される。ユーザ領域全体（記録層Ｌ０，Ｌ１双方）および記録層Ｌ０の空き容量は，光ディスク１１０の管理領域からのデータの読み出しによって，検知できる。
【００３３】
Ｃ．データの割当の決定（ステップＳ１３，Ｓ１４）
ミドル領域を拡張する場合，データ割当決定部１５２が記録層Ｌ０，Ｌ１それぞれへのデータの割当を決定する。この決定は以下（１），（２）のようにして実行される。
（１）ディスク１１０のユーザデータ総量の算出
ユーザデータの総量，即ち，書き込み済みのデータ量と書き込み予定のデータ量の和を求める。管理領域からのデータの読み出しによって，書き込み済みのデータ量が検出される。書き込み予定データ量は，外部装置から通知される。これらのデータ量を加えることで，ディスク１１０のユーザデータ総量が算出される。
（２）記録層Ｌ０の最終アドレスの決定
書き込み済みデータと書き込み予定データの総量に基づき，記録層Ｌ０の最終アドレス（論理ブロックアドレス），即ち，記録層Ｌ０，Ｌ１へのデータの割当が決定される。
このとき，光ディスク１１０への書き込み後での層間折り返し位置が光ディスク１１０のできるだけ内周側に配置されるようにする。なお，この決定にはデータ書き込みの最小サイズ（例えば，ＥＣＣブロックのサイズ）が考慮される。
【００３４】
Ｄ．ミドル領域の拡張の区分の判定（ステップＳ１５）
既述のように，拡張サイズの大小に対応して，ミドル領域の拡張には２種類（拡張１，拡張２）がある。この２種類の拡張の何れを用いるかを決定する。記録層Ｌ０，Ｌ１の折り返し位置と記録層Ｌ０の記録済み領域の最後尾の間隔に基づいて，この決定がなされる。
記録層Ｌ０，Ｌ１の折り返し位置と記録済み領域の最後尾の間隔（論理ブロックアドレスの差）が所定値（例えば，１７０００ｈセクタ）より小さい場合，拡張１が選択され，この間隔が所定値より大きければ拡張２が選択される。
【００３５】
Ｅ．ミドル領域の拡張（ステップＳ１６）
ミドル領域を拡張する。ミドル領域拡張によってデータ領域が縮小される。
拡張１では，記録層Ｌ０の追加ガードトラックゾーンＥＧＴＺが形成され，記録層Ｌ１のブランクゾーンＢＺが形成され，記録層Ｌ１のガードトラックゾーンＧＴＺが再配置される。
拡張２では，さらに，追加ドライブテストゾーンＥＲＴＺとブランクゾーンＢＺが記録層Ｌ０に形成され，追加ドライブテストゾーンＥＲＴＺが記録層Ｌ１に形成される。
【００３６】
記録位置管理ゾーンが更新されることで，ミドル領域が拡張される。また，ミドル領域の拡張に伴い，記録層Ｌ０のデータ領域の終了アドレスＬＢＡＥが変更される。変更された終了アドレスＬＢＡＥは，Ｒ物理フォーマット情報ゾーンに記録される。
なお，ミドル領域にターミネータが接しない場合，記録層Ｌ０，Ｌ１のガードトラックゾーンＧＴＺ，および記録層Ｌ０の追加ガードトラックゾーンＥＧＴＺは追加されなくてもよい。
【００３７】
Ｇ．記録層Ｌ０，Ｌ１へのデータの記録（ステップＳ１７）
（１）パディング
記録層Ｌ１への記録前に，記録層Ｌ０の所定のゾーンが“００ｈ”で埋められる（パディング）。記録層Ｌ０の状態が記録層Ｌ１の記録，再生に影響すること（層間クロストークの発生）を避けるためである。
【００３８】
ミドル領域が拡張されない場合，記録層Ｌ０のミドル領域内のガードトラックゾーンＧＴＺがパディングされる。
拡張１の場合，記録層Ｌ０のミドル領域内の追加ガードトラックゾーンＥＧＴＺ，ガードトラックゾーンＧＴＺがパディングされる。
拡張２の場合，記録層Ｌ０のミドル領域内の追加ガードトラックゾーンＥＧＴＺがパディングされる。
後述のように，データ記録やファイナライズの前に，これらのパディングを実行することも可能である。
【００３９】
（２）ユーザデータの記録
記録層Ｌ０のデータ領域にユーザデータを記録する。必要に応じて，記録層Ｌ０のデータ領域に加えて，記録層Ｌ１のデータ領域にユーザデータが記録される。
【００４０】
Ｇ．ファイナライズ（ステップＳ１８）
（１）ターミネータの書き込み
データ領域がファイナライズされる場合，データ領域の未記録部にターミネータＴＭが記録される。ターミネータＴＭのメインデータは“００ｈ”に設定される。
記録層Ｌ０のデータ領域の途中でユーザデータの記録が終了する場合，記録層Ｌ０，Ｌ１双方にターミネータＴＭが記録される。
記録層Ｌ１のデータ領域の途中でユーザデータの記録が終了する場合，記録層Ｌ１のみにターミネータＴＭが記録される。
記録層Ｌ１のデータ領域の全てにユーザデータが記録される場合，ターミネータＴＭは記録されない。
【００４１】
（２）パディング
記録層Ｌ０のデータリードイン領域の所定のゾーンおよび記録層Ｌ１のデータリードアウト領域のゾーンがパディングされる。
後述のように，データ記録やファイナライズに先立って，このパディングを実行することも可能である。
【００４２】
Ｈ．光ディスク１１０の排出（ステップＳ１９）
データが記録された光ディスク１１０が排出される。
【００４３】
以上のように，本実施形態では，書き込むデータ容量に合わせて，書き込むデータ領域を縮小し空き容量を少なくする。その結果，ファイナライズ時間が短縮できる。
また，層間折り返し位置を考慮し，記録層Ｌ０，Ｌ１共に空き容量を少なくするように内周部分にデータ記録領域を配置する。この結果，アクセス時間が短縮され，かつ記録品位が向上する。
【００４４】
記録層Ｌ０の状態が記録層Ｌ１の記録，再生に影響すること（層間クロストークの発生）を避けるため，記録層Ｌ１への記録前に，記録層Ｌ０が記録されている必要がある。すなわち記録層Ｌ１のデータ領域が記録される前に，記録層Ｌ０のデータ領域が記録され，リードイン領域とミドル領域の所定の場所がパディングされなければならない。
【００４５】
この場合，記録層Ｌ０のデータ領域の記録後，リードイン領域とミドル領域の所定の場所をパディングし，記録層Ｌ１を記録することは可能である。
これに対して，上述のように，データ記録やファイナライズに先立って，パディングの一部を実行可能である。即ち，光ディスク１１０の挿入後，空き時間に，前処理として，パディングを実行する。空き時間に，リードイン領域とミドル領域の所定の場所をパディングすることで，データ記録やファイナライズの時間を短縮できる。
【００４６】
ミドル領域の拡張の有無にかかわらず，リードイン領域のガード領域およびミドル領域のガード領域（ガードトラックゾーンＧＴＺ）はパディングが可能である。ミドル領域を拡張する場合には，追加ガードトラックゾーンＥＧＴＺに追加してパディングすれば良い。
【００４７】
（その他の実施形態）
本発明の実施形態は上記の実施形態に限られず拡張，変更可能であり，拡張，変更した実施形態も本発明の技術的範囲に含まれる。
上記実施形態では，記録層が２層の場合につき説明している。記録層を３層以上としても本発明の適用が可能である。
【図面の簡単な説明】
【００４８】
【図１】本発明の一実施形態に係る光ディスク装置を表すブロック図である。
【図２】光ディスクの記録層の内部構成の一例を表す模式図である。
【図３】拡張されたミドル領域の内部構成例を表す模式図である。
【図４】拡張されたミドル領域の内部構成例を表す模式図である。
【図５】ミドル領域拡張をしない場合の一例を表す図である。
【図６】ミドル領域拡張をした場合の一例を表す図である。
【図７】ミドル領域拡張をしない場合の他の例を表す図である。
【図８】ミドル領域拡張をした場合の他の例を表す図である。
【図９】光ディスク装置の動作手順の一例を表すフロー図である。
【符号の説明】
【００４９】
１００…光ディスク装置，１１０…ディスク，１１１…読み出し面，１２１…光ディスク保持部，１２２…光ディスク駆動部，１３０…光ピックアップ，１３１…発光素子，１３２…ビームスプリッタ，１３３…対物レンズ，１３４…受光素子，１４１…スライド駆動部，１４２…再生処理部，１４３…記録処理部，１４４…インタフェース，１５０…制御部，１５１…拡張要否判定部，１５２…データ割当決定部，１５３…拡張種別決定部，１５４…ミドル領域拡張部
【図１】
2008010106.tif 000003
【図２】
2008010106.tif 000004
【図３】
2008010106.tif 000005
【図４】
2008010106.tif 000006
【図５】
2008010106.tif 000007
【図６】
2008010106.tif 000008
【図７】
2008010106.tif 000009
【図８】
2008010106.tif 000010
【図９】
2008010106.tif 000011